(57)【要約】    【課題】  全系の小型化を図りつつ、全物体距離にわたり高い光学性能が容易に得られるズームレンズを得ること。    【解決手段】  物体側より像側へ順に配置された、正の屈折力の第１レンズ群、正の屈折力の第２レンズ群、負の屈折力の第３レンズ群、複数のレンズ群を含む後群より構成され、ズーミングに際して隣り合うレンズ群の間隔が変化するズームレンズにおいて、フォーカシングに際して前記第２レンズ群と前記後群に含まれる１枚以上のレンズを含むレンズ系ＲＦは互いに異なった軌跡で移動すること。【選択図】    図１
2018132675.tif 000002
【特許請求の範囲】
【請求項１】
物体側より像側へ順に配置された、正の屈折力の第１レンズ群、正の屈折力の第２レンズ群、負の屈折力の第３レンズ群、複数のレンズ群を含む後群より構成され、ズーミングに際して隣り合うレンズ群の間隔が変化するズームレンズにおいて、フォーカシングに際して前記第２レンズ群と前記後群に含まれる１枚以上のレンズを含むレンズ系ＲＦが互いに異なる軌跡で移動することを特徴とするズームレンズ。
【請求項２】
望遠端における無限遠から至近へのフォーカシングに際しての前記レンズ系ＲＦの移動量をＤｔＲＦ、望遠端における無限遠から至近へのフォーカシングに際しての前記第２レンズ群の移動量をＤｔＬ２とするとき、
０．００５＜｜ＤｔＲＦ／ＤｔＬ２｜＜０．８００
なる条件式を満足することを特徴とする請求項１に記載のズームレンズ。
【請求項３】
広角端において無限遠に合焦しているときのバックフォーカスをＢＦ、広角端において無限遠に合焦しているときの全系の焦点距離をｆｗとするとき、
０．１＜ＢＦ／ｆｗ＜０．５
なる条件式を満足することを特徴とする請求項１または２に記載のズームレンズ。
【請求項４】
前記第２レンズ群の焦点距離をｆ２、広角端において無限遠に合焦しているときの全系の焦点距離をｆｗとするとき、
１．５＜ｆ２／ｆｗ＜４．０
なる条件式を満足することを特徴とする請求項１乃至３のいずれか１項に記載のズームレンズ。
【請求項５】
前記第１レンズ群の焦点距離をｆ１、前記第２レンズ群の焦点距離をｆ２とするとき、
０．３＜ｆ２／ｆ１＜２．０
なる条件式を満足することを特徴とする請求項１乃至４のいずれか１項に記載のズームレンズ。
【請求項６】
前記レンズ系ＲＦの焦点距離をｆＲＦ、広角端において無限遠に合焦しているときの全系の焦点距離をｆｗとするとき、
０．５＜｜ｆＲＦ／ｆｗ｜＜２．０
なる条件式を満足することを特徴とする請求項１乃至５のいずれか１項に記載のズームレンズ。
【請求項７】
望遠端において無限遠に合焦しているときの前記第２レンズ群の横倍率をβ２、望遠端において無限遠に合焦しているときの前記第２レンズ群より像側に配置された光学系の横倍率をβｒとするとき、
０．５＜｜１−β２2｜×βｒ2＜３．０
なる条件式を満足することを特徴とする請求項１乃至６のいずれか１項に記載のズームレンズ。
【請求項８】
前記第１レンズ群は、ズーミング及びフォーカシングに際して不動であることを特徴とする請求項１乃至７のいずれか１項に記載のズームレンズ。
【請求項９】
広角端から望遠端へのズーミングに際して、前記第２レンズ群と前記第３レンズ群は物体側から像側へ移動することを特徴とする請求項１乃至８のいずれか１項に記載のズームレンズ。
【請求項１０】
前記第２レンズ群は２枚以下のレンズより構成されることを特徴とする請求項１乃至９のいずれか１項に記載のズームレンズ。
【請求項１１】
前記第２レンズ群は正レンズを有し、該正レンズの材料のｄ線に対するアッベ数をνｄ２とするとき、
６０．０＜νｄ２
なる条件式を満足することを特徴とする請求項１乃至１０のいずれか１項に記載のズームレンズ。
【請求項１２】
前記レンズ系ＲＦよりも物体側に開口絞りが配置されていることを特徴とする請求項１乃至１１のいずれか１項に記載のズームレンズ。
【請求項１３】
前記レンズ系ＲＦは３枚以下のレンズより構成されることを特徴とする請求項１乃至１２のいずれか１項に記載のズームレンズ。
【請求項１４】
前記後群は、物体側から像側へ順に配置された、正の屈折力の第４レンズ群、正の屈折力の第５レンズ群より構成されることを特徴とする請求項１乃至１３のいずれか１項に記載のズームレンズ。
【請求項１５】
前記レンズ系ＲＦは、前記第５レンズ群を構成する複数のレンズのうちの一部のレンズよりなることを特徴とする請求項１４に記載のズームレンズ。
【請求項１６】
前記第５レンズ群の物体側に開口絞りが配置されていることを特徴とする請求項１４又は１５に記載のズームレンズ。
【請求項１７】
請求項１乃至１６のいずれか１項に記載のズームレンズと、該ズームレンズによって形成される像を受光する撮像素子を有することを特徴とする撮像装置。
【発明の詳細な説明】
【技術分野】
【０００１】
本発明はズームレンズ及びそれを有する撮像装置に関し、例えばビデオカメラ、電子スチルカメラ、放送用カメラ、監視カメラ等のように撮像素子を用いた撮像装置、或いは銀塩フィルムを用いたカメラ等の撮像装置に用いる撮像光学系に好適なものである。
【背景技術】
【０００２】
近年、撮像装置に用いる撮像光学系には、全系が小型でありながら高ズーム比で全ズーム範囲にわたり高い性能を有するズームレンズであることが要求されている。またフォーカシングに際して収差変動が少なく、全物体距離にわたり高い光学性能を有すること等が要望されている。
【０００３】
高ズーム比を実現しやすいズームレンズとして、最も物体側に正の屈折力のレンズ群が配置されたポジティブリードタイプのズームレンズが知られている。ポジティブリードタイプでフォーカシングに際しての収差変動が少なく、全物体距離にわたり高い光学性能を得るために、フォーカシングに際して２つのレンズ群を移動するようにしたフローティング方式を用いたズームレンズが知られている（特許文献１、２）。
【０００４】
特許文献１では物体側から像側へ順に、正、負、正、正、負の屈折力の第１レンズ群乃至第５レンズ群よりなる５群ズームレンズにおいて、第１レンズ群と第５レンズ群を互いに逆方向へ移動させてフォーカシングを行っている。また特許文献２では物体側から像側へ順に、正、負、正、正、負の屈折力の第１レンズ群乃至第５レンズ群よりなる５群ズームレンズにおいて、第３レンズ群と第５レンズ群を互いに逆方向へ移動させてフォーカシングを行っている。
【先行技術文献】
【特許文献】
【０００５】
【特許文献１】特開平８−１５６０８号公報
【特許文献２】特開２０１１−１８０２１８号公報
【発明の概要】
【発明が解決しようとする課題】
【０００６】
フォーカシングによる収差変動を改善するには、フォーカシングに際して複数のレンズ群を光軸方向に移動させるフローティング方式を用いるのが有効である。フローティング方式を用いると、無限遠から至近にフォーカシングする際、フォーカシングレンズ群の移動量を短くすることができ、レンズ系全体の小型化を図りつつ、収差変動の低減を図ることが容易となる。
【０００７】
特に物体側の第１レンズ群以外の複数のレンズ群を移動させてフォーカシングを行うフローティング方式を用いるとフォーカシングの際に移動させるレンズ群の有効径を小さくすることができる。そしてレンズ系全体の小型化を図りつつ、無限遠から至近まで全物体距離にわたり収差変動を少なくしつつ、フォーカシングすることが容易になる。
【０００８】
ポジティブリード型のズームレンズにおいて、全系の小型化を図りつつ、全物体距離にわたり高い光学性能を得るには、ズームレンズを構成する各要素を適切に設定することが重要となってくる。例えばズームタイプ（レンズ群の数や各レンズ群の屈折力等）、フォーカシングに際して移動するレンズ群の選定やフォーカシングに際して移動するレンズ群のレンズ構成等を適切に設定することが重要になってくる。
【０００９】
例えばフォーカシングに際して２つのレンズ群を移動させるフローティング方式を用いるときは、フォーカシングに際して移動させる２つのレンズ群の選定や、移動方向そして移動量等を適切に設定することが重要になってくる。
【００１０】
本発明は、全系の小型化を図りつつ、全物体距離にわたり高い光学性能が容易に得られるズームレンズ及びそれを有する撮像装置を提供することを目的とする。
【課題を解決するための手段】
【００１１】
本発明のズームレンズは、物体側より像側へ順に配置された、正の屈折力の第１レンズ群、正の屈折力の第２レンズ群、負の屈折力の第３レンズ群、複数のレンズ群を含む後群より構成され、ズーミングに際して隣り合うレンズ群の間隔が変化するズームレンズにおいて、フォーカシングに際して前記第２レンズ群と前記後群に含まれる１枚以上のレンズを含むレンズ系ＲＦが互いに異なる軌跡で移動することを特徴としている。
【発明の効果】
【００１２】
本発明によれば、全系の小型化を図りつつ、全物体距離にわたり高い光学性能が容易に得られるズームレンズが得られる。
【図面の簡単な説明】
【００１３】
【図１】実施例１の広角端におけるレンズ断面図
【図２】（Ａ）、（Ｂ）  実施例１の広角端における無限遠に合焦したときと、最至近に合焦したときの収差図
【図３】（Ａ）、（Ｂ）  実施例１の望遠端における無限遠に合焦したときと、最至近に合焦したときの収差図
【図４】実施例２の広角端におけるレンズ断面図
【図５】（Ａ）、（Ｂ）  実施例２の広角端における無限遠に合焦したときと、最至近に合焦したときの収差図
【図６】（Ａ）、（Ｂ）  実施例２の望遠端における無限遠に合焦したときと、最至近に合焦したときの収差図
【図７】実施例３の広角端におけるレンズ断面図
【図８】（Ａ）、（Ｂ）  実施例３の広角端における無限遠に合焦したときと、最至近に合焦したときの収差図
【図９】（Ａ）、（Ｂ）  実施例３の望遠端における無限遠に合焦したときと、最至近に合焦したときの収差図
【図１０】本発明の撮像装置の要部概略図
【発明を実施するための形態】
【００１４】
以下に本発明の好ましい実施の形態を、添付の図面に基づいて説明する。本発明のズームレンズは、物体側より像側へ順に配置された、正の屈折力の第１レンズ群、正の屈折力の第２レンズ群、負の屈折力の第３レンズ群、複数のレンズ群を含む後群より構成され、ズーミングに際して隣り合うレンズ群の間隔が変化する。そして、フォーカシングに際して第２レンズ群と後群に含まれる１枚以上のレンズを含むレンズ系ＲＦが互いに異なる軌跡で移動する。
【００１５】
図１は本発明の実施例１の広角端におけるレンズ断面図である。図２（Ａ）、（Ｂ）は各々実施例１の広角端における無限遠に合焦したときと、最至近に合焦したときの収差図である。図３（Ａ）、（Ｂ）は各々実施例１の望遠端における無限遠に合焦したときと、最至近に合焦したときの収差図である。実施例１はズーム比２．０３、Ｆナンバー２．０６のズームレンズである。ここで最至近とは後述する数値データに示す撮像倍率がβのときをいう。
【００１６】
図４は本発明の実施例２の広角端におけるレンズ断面図である。図５（Ａ）、（Ｂ）は各々実施例２の広角端における無限遠に合焦したときと、最至近に合焦したときの収差図である。図６（Ａ）、（Ｂ）は各々実施例２の望遠端における無限遠に合焦したときと、最至近に合焦したときの収差図である。実施例２はズーム比２．０３、Ｆナンバー２．０６のズームレンズである。
【００１７】
図７は本発明の実施例３の広角端におけるレンズ断面図である。図８（Ａ）、（Ｂ）は各々実施例３の広角端における無限遠に合焦したときと、最至近に合焦したときの収差図である。図９（Ａ）、（Ｂ）は各々実施例３の望遠端における無限遠に合焦したときと、最至近に合焦したときの収差図である。実施例３はズーム比１．６２、Ｆナンバー２．０６のズームレンズである。
【００１８】
図１０は本発明の撮像装置の要部概略図である。各実施例のズームレンズはビデオカメラ、デジタルスチルカメラ、銀塩フィルムカメラ、ＴＶカメラなどの撮像装置に用いられる撮像光学系である。尚、各実施例のズームレンズは投射装置（プロジェクタ）用の投射光学系として用いることもできる。
【００１９】
レンズ断面図において、左方が物体側（前方）で、右方が像側（後方）である。また、レンズ断面図において、ＯＬはズームレンズである。またｉを物体側からのレンズ群の順番とすると、Ｌｉは第ｉレンズ群を示す。ＬＲは１つ以上のレンズ群を含む後群である。ＲＦは第５レンズ群Ｌ５を構成する複数のレンズのうち一部のレンズ系である。
【００２０】
ＳＰは開口絞りである。ＩＰは像面である。像面ＩＰは、ビデオカメラやデジタルカメラの撮像光学系としてズームレンズを使用する際には、ＣＣＤセンサやＣＭＯＳセンサなどの撮像素子（光電変換素子）の撮像面に相当する。また像面ＩＰは銀塩フィルムカメラの撮像光学系としてズームレンズを使用する際には、フィルム面に相当する。矢印は広角端から望遠端へのズーミング（変倍）に際して、各レンズ群の移動軌跡を示している。フォーカスに関する矢印は無限遠から近距離にフォーカシングをするときのレンズ群またはレンズ系の移動方向を示す。
【００２１】
収差図のうち、球面収差図において、実線のｄはｄ線（波長５８７．６ｎｍ）、二点鎖線のｇはｇ線（波長４３５．８ｎｍ）、非点収差図において、実線のＳはｄ線におけるサジタル像面、点線のＭはｄ線におけるメリディオナル像面である。歪曲収差はｄ線について示している。倍率色収差図においてｇはｇ線である。尚、以下の各実施例において広角端と望遠端は変倍用のレンズ群が機構上、光軸上を移動可能な範囲の両端に位置したときのズーム位置をいう。
【００２２】
本発明のズームレンズは物体側から像側へ順に配置された、正の屈折力の第１レンズ群Ｌ１、正の屈折力の第２レンズ群Ｌ２、負の屈折力の第３レンズ群Ｌ３、複数のレンズ群を含む後群より構成されている。そしてズーミングに際して隣り合うレンズ群の間隔が変化する。フォーカシングに際して第２レンズ群Ｌ２と後群ＬＲに含まれる複数のレンズのうち１枚以上のレンズよりなるレンズ系ＲＦは互いに異なった軌跡で（独立に）移動する。ズーミングに際して第１レンズ群Ｌ１と第５レンズ群Ｌ５は不動である。
【００２３】
本発明に係るズームタイプのズームレンズでは、望遠端において、無限遠から近距離へのフォーカシングに際して正の屈折力の第２レンズ群Ｌ２を物体側へ移動させている。これにより球面収差はアンダーとなり、像面湾曲はオーバーとなるようにしている。レンズ系ＲＦが正の屈折力のときはレンズ系ＲＦを物体側へ移動することで像面湾曲の変動を軽減するとともに、第２レンズ群Ｌ２の移動量を軽減している。またレンズ系ＲＦが負の屈折力のときは、レンズ系ＲＦを像側へ移動させることによって同様の効果を得ている。
【００２４】
フォーカシングやズーミングに際して第１レンズ群Ｌ１を不動（固定）とすると鏡筒構成上、外部からの圧力に強い構成とすることができる。また、第１レンズ群Ｌ１の光線有効径を小さくすることができるため、ズームレンズの径方向の小型化が容易となる。
【００２５】
各実施例では広角端から望遠端へのズーミングに際して第２レンズ群Ｌ２と第３レンズ群Ｌ３が像側へ移動する。これにより、第２レンズ群Ｌ２と第３レンズ群Ｌ３の光線有効径が小さくなるようにして、ズームレンズの径方向の小型化を図っている。
【００２６】
フォーカスレンズ群である第２レンズ群Ｌ２を２枚以下のレンズで構成している。フォーカスレンズ群を２枚以下のレンズで構成し、軽量化して、たとえばこのズームレンズをオートフォーカスカメラに適用した場合、安定した高速のオートフォーカス機能が得られるようにしている。また、第２レンズ群Ｌ２に含まれる正レンズの材料に低分散材料を使用することで、フォーカシングに際しての軸上色収差や倍率色収差の変動を良好に補正している。
【００２７】
またフォーカス用のレンズ系ＲＦを開口絞りＳＰより像側へ配置することにより、レンズ系ＲＦの光線有効径が小さくなるようにして、ズームレンズの径方向の小型化を図っている。またレンズ系ＲＦを３枚以下のレンズで構成してフォーカシングに際しての収差変動を軽減している。
【００２８】
望遠端における無限遠から至近へのフォーカシングに際してのレンズ系ＲＦの移動量をＤｔＲＦ、望遠端における無限遠から至近へのフォーカシングに際しての第２レンズ群Ｌ２の移動量をＤｔＬ２とする。広角端において無限遠に合焦しているときのバックフォーカスをＢＦ、広角端において無限遠に合焦しているときの全系の焦点距離をｆｗとする。第１レンズ群の焦点距離をｆ１とする。第２レンズ群の焦点距離をｆ２とする。レンズ系ＲＦの焦点距離をｆＲＦとする。
【００２９】
望遠端において無限遠に合焦しているときの第２レンズ群Ｌ２の横倍率をβ２、望遠端において無限遠に合焦しているときの第２レンズ群Ｌ２より像側に配置されている光学系の横倍率をβｒとする。第２レンズ群Ｌ２は正レンズを有し、正レンズの材料のｄ線に対するアッベ数をνｄ２とする。ここでレンズ群（レンズ系）の無限遠から至近へのフォーカシングに際しての移動量の符号は物体側へ移動するときを負、像側へ移動するときを正とする。
【００３０】
このとき、
０．００５＜｜ＤｔＲＦ／ＤｔＬ２｜＜０．８００    ・・・（１）
０．１＜ＢＦ／ｆｗ＜０．５                        ・・・（２）
１．５＜ｆ２／ｆｗ＜４．０                        ・・・（３）
０．３＜ｆ２／ｆ１＜２．０                        ・・・（４）
０．５＜｜ｆＲＦ／ｆｗ｜＜２．０                  ・・・（５）
０．５＜｜１−β２2｜βｒ2＜３．０                ・・・（６）
６０．０＜νｄ２                                  ・・・（７）
なる条件式を満足する。
【００３１】
条件式（１）は無限遠から至近へのフォーカシングに際してのレンズ系ＲＦの移動量と無限遠から至近へのフォーカシングに際しての第２レンズ群Ｌ２の移動量の比を規定している。条件式（１）は主にフォーカシングに際しての球面収差及び、像面湾曲の変動を軽減するものである。条件式（１）の上限を超えると、レンズ系ＲＦの移動量が増大し、像面湾曲が補正不足になる。逆に条件式（１）の下限を超えると第２レンズ群Ｌ２の移動量が増大し、球面収差が補正不足になる。
【００３２】
条件式（２）は無限遠に合焦しているときのバックフォーカスと広角端における全系の焦点距離の比を規定している。条件式（２）は主にズームレンズにおけるバックフォーカスの長さを適正化したものである。条件式（２）の上限を超えて広角端におけるバックフォーカスが長くなりすぎると、レンズ全長が長くなり、全系の小型化が困難になる。条件式（２）の下限を超えて広角端におけるバックフォーカスが短くなりすぎると、像面への軸外光線の入射角が大きくなる。この結果、画面周辺部に到達すべき光束が受光素子（撮像素子）上に達することが少なくなり、シェーディングが多く発生してくる。
【００３３】
条件式（３）は第２レンズ群Ｌ２の焦点距離と広角端における全系の焦点距離の比を規定している。条件式（３）は第２レンズ群Ｌ２の焦点距離を適正化したものである。条件式（３）の上限を超えて、第２レンズ群Ｌ２の焦点距離が長くなりすぎると、フォーカシングに際して第２レンズ群Ｌ２の移動量が大きくなるため、ズームレンズの小型化が困難となる。逆に条件式（３）の下限を超えて第２レンズ群Ｌ２の焦点距離が短くなりすぎると、望遠端において球面収差の補正が困難となる。
【００３４】
条件式（４）は第２レンズ群Ｌ２の焦点距離と第１レンズ群Ｌ１の焦点距離との比を規定している。条件式（４）は第２レンズ群Ｌ２の焦点距離を適正化したものである。条件式（４）の上限を超えて、第２レンズ群Ｌ２の焦点距離が長くなりすぎると、フォーカシングに際して第２レンズ群Ｌ２の移動量が大きくなるため、ズームレンズの小型化が困難となる。逆に条件式（４）の下限を超えて第２レンズ群Ｌ２の焦点距離が短くなりすぎると、望遠端において球面収差の補正が困難となる。
【００３５】
条件式（５）はレンズ系ＲＦの焦点距離と広角端における全系の焦点距離の比を規定している。条件式（５）はレンズ系ＲＦの焦点距離を適正化したものである。条件式（５）の上限を超えてレンズ系ＲＦの焦点距離が長くなりすぎると、フォーカシングに際してレンズ系ＲＦの移動量が大きくなるため、ズームレンズの小型化が困難となる。逆に条件式（５）の下限を超えてレンズ系ＲＦの焦点距離が短くなりすぎると、望遠端において像面湾曲の補正が困難となる。
【００３６】
条件式（６）は第２レンズ群Ｌ２のフォーカス敏感度に関する。フォーカス敏感度はフォーカスレンズ群が光軸方向に単位量移動したときのピント移動量の比である。条件式（６）の下限を下回ってフォーカス敏感度が小さくなるとフォーカシングに際してフォーカスレンズ群の移動量が大きくなり、高速なフォーカシングが困難となる。
【００３７】
逆に条件式（６）の上限を上回って、フォーカス敏感度が大きくなりすぎるとフォーカシングに際してフォーカスレンズ群の移動量が小さくなり、フォーカシングに際してフォーカスレンズ群の駆動の高精度の制御が困難となる。
【００３８】
条件式（７）は第２レンズ群Ｌ２に含まれる正レンズの材料のｄ線に対するアッベ数を規定している。条件式（７）はフォーカシングに際しての収差の変動を良好に補正するものである。条件式（７）の下限を超えるとフォーカシングに際して軸上色収差や倍率色収差の変動を良好に補正することが困難になる。
【００３９】
好ましくは条件式（１）乃至（７）の数値範囲を以下の範囲とするのが良い。
０．００８＜｜ＤｔＲＦ／ＤｔＬ２｜＜０．７００    ・・・（１ａ）
０．１３＜ＢＦ／ｆｗ＜０．４０                    ・・・（２ａ）
１．６＜ｆ２／ｆｗ＜３．５                        ・・・（３ａ）
０．５＜ｆ２／ｆ１＜１．５                        ・・・（４ａ）
０．７＜｜ｆＲＦ／ｆｗ｜＜１．８                  ・・・（５ａ）
０．７＜｜１−β２2｜βｒ2＜２．０                ・・・（６ａ）
７０．０＜νｄ２                                  ・・・（７ａ）
更に好ましくは条件式（１ａ）乃至（７ａ）の数値範囲を以下の範囲とするのが良い。
０．００９＜｜ＤｔＲＦ／ＤｔＬ２｜＜０．６００    ・・・（１ｂ）
０．１５＜ＢＦ／ｆｗ＜０．３５                    ・・・（２ｂ）
１．８＜ｆ２／ｆｗ＜３．０                        ・・・（３ｂ）
０．８＜ｆ２／ｆ１＜１．１                        ・・・（４ｂ）
０．８＜｜ｆＲＦ／ｆｗ｜＜１．６                  ・・・（５ｂ）
１．０＜｜１−β２2｜βｒ2＜１．５                ・・・（６ｂ）
８０．０＜νｄ２                                  ・・・（７ｂ）
各実施例において全系の小型化を図りつつ、全物体距離にわたり高い光学性能を得るには次の如く構成するのが良い。
【００４０】
第１レンズ群Ｌ１は、ズーミング及びフォーカシングに際して不動であることが良い。広角端から望遠端へのズーミングに際して、第２レンズ群Ｌ２と第３レンズ群Ｌ３は物体側から像側へ移動することが良い。後群ＬＲは物体側から像側へ順に配置された正の屈折力の第４レンズ群Ｌ４、正の屈折力の第５レンズ群Ｌ５より構成されることが良い。レンズ系ＲＦは第５レンズ群Ｌ５を構成する複数のレンズのうちの一部のレンズよりなることが良い。第５レンズ群Ｌ５の物体側に開口絞りＳＰが配置されていることが良い。
【００４１】
次に本発明のズームレンズを用いたデジタルスチルカメラ（撮像装置）の実施例を図１０を用いて説明する。
【００４２】
図１０は一眼レフカメラの要部概略図である。図１０において、１０は実施例１乃至３のいずれかの実施例のズームレンズ１を有する撮像光学系である。撮像光学系１は保持部材である鏡筒２に保持されている。２０はカメラ本体である。カメラ本体２０はクイックリターンミラー３、焦点板４、ペンタダハプリズム５、接眼レンズ６等によって構成されている。
【００４３】
クイックリターンミラー３は、撮影光学系１０からの光束を上方に反射する。焦点板４は撮影光学系１０の像形成位置に配置されている。ペンタダハプリズム５は焦点板４に形成された逆像を正立像に変換する。観察者は、その正立像を接眼レンズ６を介して観察する。７は感光面であり、像を受光するＣＣＤセンサやＣＭＯＳセンサ等の固体撮像素子（光電変換素子）や銀塩フィルムが配置される。撮影時にはクイックリターンミラー３が光路から退避して、感光面７上に撮像光学系１０によって像側形成される。
【００４４】
このように本発明のズームレンズを一眼レフカメラ交換レンズ等の撮像装置に適用することにより、高い光学性能を得ている。この他本発明のズームレンズはクイックリターンミラーのないミラーレスの一眼レフカメラにも同様に適用することができる。この他、本発明のズームレンズは、デジタルカメラ・ビデオカメラ・銀塩フィルム用カメラ等の他に望遠鏡、双眼鏡、複写機、プロジェクタ等の光学機器にも適用できる。
【００４５】
以上、本発明の好ましい実施形態について説明したが、本発明はこれらの実施形態に限定されず、その要旨の範囲内で種々の変形及び変更が可能である。
【００４６】
以下に、実施例１乃至３に各々対応する数値データ１乃至３を示す。各数値データにおいて、ｉは物体側からの面の順番を示し、ｒｉは第ｉ番目（第ｉ面）の曲率半径である。ｄｉは第ｉ面と第ｉ＋１面との間の間隔である。ｎｄｉ、νｄｉはそれぞれｄ線を基準とした材料の屈折率、アッベ数を示す。ＢＦはバックフォーカスである。又前述の各条件式と数値実施例における諸数値との関係を表１に示す。
【００４７】
像高は撮像半画角を決定する像高である。レンズ全長は第１レンズ面から像面までの長さである。バックフォーカスＢＦは最終レンズ面から像面までの長さである。βは物体距離最至近における撮像倍率である。
【００４８】
（数値データ１）
単位 mm
面データ
面番号       r        d      nd         νd
1        131.595    2.80   2.00069    25.5           
2        106.546    7.73   1.43875    94.7           
3        430.966    0.15                             
4         88.247    7.25   1.43875    94.7           
5        320.211  (可変)                             
6         56.149    2.22   1.67542    34.8           
7         44.749    1.09                             
8         50.178    9.44   1.43387    95.1           
9          ∞     (可変)                             
10       -505.442    1.50   1.77250    49.6           
11         43.525    6.90                             
12        -69.454    1.40   1.43875    94.7           
13         52.232    3.95   1.89286    20.4           
14        173.933    3.25                             
15        -92.629    1.40   1.72916    54.7           
16          ∞     (可変)                             
17       -416.819    3.40   2.00100    29.1           
18        -83.689    0.15                             
19         64.810    8.56   1.43875    94.7           
20        -61.334    1.80   1.85896    22.7           
21       -306.739  (可変)                             
22(絞り)    ∞       0.40                             
23         93.818    3.68   1.80400    46.6           
24      -1474.268    0.15                             
25         45.526    5.89   1.77250    49.6           
26       -887.323    0.15                             
27      -1138.266    1.50   1.70154    41.2           
28         24.815    5.99   1.49700    81.5           
29         73.811    4.66                             
30       -358.190    2.42   1.95906    17.5           
31        -74.879    1.00   1.51742    52.4           
32         40.090    4.42                             
33       -114.059    1.00   1.84666    23.8           
34        533.833    4.70                             
35        390.940    2.69   1.83481    42.7           
36        -76.120    1.00                             
37         90.331    5.02   1.59522    67.7           
38        -40.616    1.40   2.00069    25.5           
39       -185.243   22.58                             
40         75.861    5.04   1.78472    25.7           
41       -125.998    1.70   1.69680    55.5           
42         59.785   21.80                             
像面        ∞   
各種データ
ズーム比      2.03 
焦点距離      72.00   114.84   146.00    92.60   123.41  
Fナンバー      2.06     2.06     2.06     2.06     2.06  
半画角（度）  16.72    10.67     8.43    13.15     9.94  
像高          21.64    21.64    21.64    21.64    21.64  
レンズ全長   210.32   210.32   210.32   210.32   210.32  
BF            21.80    21.80    21.80    21.80    21.80  
β            -0.06    -0.1     -0.13    -0.08    -0.11
d 5           11.95    23.80    30.44    17.21    26.03  
d 9            0.99    13.38    17.10     8.95    14.57  
d16           21.74     9.52     1.00    15.72     7.17  
d21           15.46     3.45     1.60     8.26     2.38  
ズームレンズ群データ
群  始面    焦点距離  
1    1     201.95  
2    6     175.08  
3   10     -30.78  
4   17      78.73  
5   22      89.04  
（数値データ２）
単位 mm
面データ
面番号       r        d      nd         νd
1        139.374    2.80   2.00069    25.5           
2        115.300    7.85   1.43875    94.7           
3        635.431    0.15                             
4         91.418    5.89   1.43875    94.7           
5        200.474  (可変)                             
6         70.132    2.22   1.80610    33.3           
7         52.943    0.64                             
8         57.626    8.54   1.49700    81.5           
9          ∞     (可変)                             
10       -442.238    1.50   1.77250    49.6           
11         52.172    6.03                             
12        -87.693    1.40   1.43875    94.7           
13         62.453    3.80   1.89286    20.4           
14        270.800    2.71                             
15       -104.881    1.40   1.72916    54.7           
16          ∞     (可変)                             
17       -443.844    3.03   2.00100    29.1           
18       -101.537    0.15                             
19         68.475    8.22   1.43875    94.7           
20        -67.703    1.80   1.85896    22.7           
21       -324.295  (可変)                             
22(絞り)    ∞       0.40                             
23         86.239    4.38   1.80400    46.6           
24       1079.334    0.15                             
25         47.329    5.55   1.77250    49.6           
26      -9386.765    0.15                             
27       8263.433    1.50   1.70154    41.2           
28         28.174    5.23   1.49700    81.5           
29         72.329    4.86                             
30       -261.542    2.56   1.95906    17.5           
31        -67.200    1.00   1.51742    52.4           
32         39.577    4.42                             
33       -108.121    1.00   1.84666    23.8           
34        485.370    4.90                             
35        339.101    2.76   1.83481    42.7           
36        -78.196    1.00                             
37         83.036    5.30   1.59522    67.7           
38        -40.616    1.40   2.00069    25.5           
39       -181.717   23.11                             
40         53.767    6.31   1.78472    25.7           
41        800.402    1.70   1.69680    55.5           
42         43.575   22.47                             
像面        ∞   
各種データ
ズーム比      2.03 
焦点距離      72.03   115.04   145.99    92.39   123.70  
Fナンバー      2.06     2.06     2.06     2.06     2.06  
半画角（度）  16.72    10.65     8.43    13.18     9.92  
像高          21.64    21.64    21.64    21.64    21.64  
レンズ全長   217.72   217.72   217.72   217.72   217.72  
BF            22.47    22.47    22.47    22.47    22.47  
β            -0.06    -0.10    -0.13    -0.08    -0.11
d 5           15.38    29.18    37.01    21.47    31.81  
d 9            0.98    15.66    19.85    10.32    17.04  
d16           28.93    12.33     0.99    20.89     9.13  
d21           14.16     2.28     1.59     6.77     1.47  
ズームレンズ群データ
群  始面    焦点距離  
1    1     233.21  
2    6     199.78  
3   10     -38.39  
4   17      92.96  
5   22      94.80
（数値データ３）
単位 mm
面データ
面番号       r        d      nd         νd
1        164.075    2.80   2.00069    25.5           
2        118.631   12.59   1.43875    94.7           
3       -331.573    0.15                             
4        105.658    8.90   1.49700    81.5           
5        374.308  (可変)                             
6         56.026    2.22   1.78470    26.3           
7         47.071    0.59                             
8         51.845    7.18   1.43875    94.7           
9          ∞     (可変)                             
10       -571.511    1.50   1.77250    49.6           
11         44.416    6.59                             
12        -82.153    1.40   1.43875    94.7           
13         48.223    4.12   1.89286    20.4           
14        150.352    3.53                             
15        -87.327    1.40   1.72916    54.7           
16          ∞     (可変)                             
17       -182.286    4.57   2.00100    29.1           
18        -70.255    0.15                             
19         82.179    8.14   1.43875    94.7           
20        -58.006    1.80   1.85896    22.7           
21       -371.518  (可変)                             
22(絞り)    ∞       0.40                             
23        129.873    2.06   1.80400    46.6           
24        249.113    0.15                             
25         50.484    5.76   1.77250    49.6           
26       5658.724    0.15                             
27        898.451    1.50   1.70154    41.2           
28         47.812    1.77   1.49700    81.5           
29         49.251    3.81                             
30        219.309    5.29   1.90366    31.3           
31        -72.339    1.00   1.53172    48.8           
32        261.075    4.42                             
33        -56.754    1.00   1.51742    52.4           
34         85.951   13.34                             
35        280.987    4.38   1.83481    42.7           
36        -60.016    1.00                             
37        802.530    8.64   1.59522    67.7           
38        -40.616    1.40   2.00069    25.5           
39       -189.656   42.44                             
40         45.636    5.10   1.78472    25.7           
41         65.924    1.70   1.69680    55.5           
42         47.432   16.70                             
像面        ∞   
各種データ
ズーム比      1.62 
焦点距離      90.00   125.01   145.99   109.96   130.49  
Fナンバー      2.06     2.06     2.06     2.06     2.06  
半画角（度）  13.52     9.82     8.43    11.13     9.41  
像高          21.64    21.64    21.64    21.64    21.64  
レンズ全長   242.35   242.35   242.35   242.35   242.35  
BF            16.70    16.70    16.70    16.70    16.70  
β            -0.08    -0.11    -0.13    -0.10    -0.12
d 5           18.49    34.75    42.87    26.30    37.50  
d 9            3.28     4.63     4.29     5.23     4.37  
d16           21.96    10.47     3.97    14.99     8.84  
d21            9.01     2.89     1.60     6.20     2.02  
ズームレンズ群データ
群  始面    焦点距離  
1    1     165.01  
2    6     167.99  
3   10     -31.83  
4   17     102.78  
5   22      85.19  
【００４９】
【表１】
2018132675.tif 000003
【符号の説明】
【００５０】
ＯＬ  ズームレンズ      Ｌ１  第１レンズ群      Ｌ２  第２レンズ群
Ｌ３  第３レンズ群      Ｌ４  第４レンズ群      Ｌ５  第５レンズ群
ＬＲ  後群      ＲＦ  レンズ系      ＳＰ  開口絞り
【図１】
2018132675.tif 000004
【図２】
2018132675.tif 000005
【図３】
2018132675.tif 000006
【図４】
2018132675.tif 000007
【図５】
2018132675.tif 000008
【図６】
2018132675.tif 000009
【図７】
2018132675.tif 000010
【図８】
2018132675.tif 000011
【図９】
2018132675.tif 000012
【図１０】
2018132675.tif 000013